(57)【要約】【課題】被搬送包装体を向かい合う２つのプーリ間循環ベルト間に挟んで搬送する場合に被搬送包装体が搬送ベルトの搬送速度より速い速度で進入して来ても包装樹脂フィルムに疵がついたり、先端が破れたりしない包装体搬送装置の実現。【解決手段】２つのプーリ間循環ベルトのうち、一方の循環ベルトの摩擦を小さくして包装樹脂フィルムが滑るようにするとともに、被搬送物進入側の２つのプーリと同軸に補助搬送コロを設け、この補助搬送コロの被搬送包装体に対する摩擦は、被搬送包装体に対して摩擦の小さい搬送ベルトと同じ側のコロは大きく、摩擦の大きい搬送ベルトと同じ側のコロは小さく、いずれのコロの摩擦も搬送ベルトの小さい方の摩擦よりも小さくする。【選択図】図３
2008273544.tif 000002
【特許請求の範囲】
【請求項１】
先端が溶着された２枚の樹脂フィルムの間に被包装物であるシートが挿入されて進入して来た樹脂フィルム包装体を、プーリ間に搬送ベルトが循環するように掛け渡されたプーリベルトが２個１組でベルト面を向き合わせて配置され向き合ったベルトがプーリに対する回転駆動により同じ方向に循環することにより、ベルト間に挟んで搬送する搬送ベルトを有する包装体搬送装置であって、
前記向き合った搬送ベルト面の被搬送包装体に対する摩擦は一方が他方より小さく、
前記プーリベルトの、被搬送包装体進入側のプーリに並列して、２個で１組の補助搬送コロを有し、
この補助搬送コロの被搬送包装体に対する摩擦は、被搬送包装体に対して、摩擦の小さい搬送ベルトと同じ側のコロは大きく、摩擦の大きい搬送ベルトと同じ側のコロは小さく、いずれのコロの摩擦も搬送ベルトの小さい方の摩擦より小さいことを特徴とする包装体搬送装置。
【請求項２】
前記摩擦が大きい搬送ベルトのプーリ軸位置は固定され、前記摩擦が小さい搬送ベルトのプーリ軸は、ばねで固定側の方へ弾性押圧されていることを特徴とする請求項１記載の包装体搬送装置。
【請求項３】
１組のプーリベルトのプーリのうち、被搬送物進入側の２つのプーリの少なくとも一方が、プーリの幅のうちベルトの掛かっている部分から両端へ向けて下り傾斜する面取り部分を有することを特徴とする請求項１又は請求項２記載の包装体搬送装置。
【請求項４】
前記補助搬送コロは、被搬送物進入側の前記プーリと同軸上に設けられ、その半径は、搬送ベルトの掛かっているプーリの軸中心から搬送ベルト表面までの半径よりも小なることを特徴とする請求項１ないし３のいずれか１項に記載の包装体搬送装置。
【請求項５】
摩擦が小さい方の補助搬送コロは樹脂材料で形成され、摩擦の大きい方の補助搬送コロは、コロ表面の回転軸方向幅の一部はゴム材であり他部は樹脂材料であることを特徴とする請求項４記載の包装体搬送装置。
【請求項６】
前記摩擦の大きい補助搬送コロとその支持駆動軸との間に、該コロの表面に対し搬送方向回転力を加えた場合に自由回転するワンウェイクラッチを設けたことを特徴とする請求項１ないし５のいずれか１項に記載の包装体搬送装置。
【請求項７】
前記請求項１ないし３のいずれか１項の補助搬送コロに代えて、プーリ間に補助搬送ベルトが循環するように掛け渡されたプーリベルト２個１組でベルト面を向き合わせて配置され向き合った補助搬送ベルトがプーリに対する回転駆動により同じ方向に循環することにより被搬送物をベルト間に挟んで搬送する補助搬送ベルトを有し、この補助搬送ベルトの被搬送包装体に対する摩擦は、被搬送包装体に対して、摩擦の小さい搬送ベルトと同じ側の補助搬送ベルトは大きく、摩擦の大きい搬送ベルトと同じ側の補助搬送ベルトは小さく、いずれの補助搬送ベルトの摩擦も搬送ベルトの小さい方の摩擦よりも小さいことを特徴とする包装体搬送装置。
【請求項８】
前記補助搬送ベルトが掛け渡されているプーリが、搬送ベルトの掛け渡されているプーリと同軸上に設けられ、ベルトの掛かっているプーリの軸中心からベルト表面までの半径は補助搬送ベルトの方が搬送ベルトよりも小さいことを特徴とする請求項７記載の包装体搬送装置。
【請求項９】
前記補助搬送ベルトは、前記搬送ベルトよりも幅が狭いか、又はプーリ軸方向での配置数が少ないことを特徴とする請求項７又は請求項８記載の包装体搬送装置。
【発明の詳細な説明】
【技術分野】
【０００１】
本発明は、２個のフィルムロールから繰り出され、先端が互いに熱溶着された２枚の合成樹脂フィルムシートの間に新聞等の被包装物を挟んだ包装体を搬送ベルトにくわえさせて搬送する包装体搬送装置の技術分野に属する。
【背景技術】
【０００２】
図９は、従来の包装体搬送装置２６を含む包装装置２５の構成を示す図である。
２つのフィルムロール１１，１１から樹脂フィルム２，２がたぐり出されており、その先端は、１回前の包装工程で溶着ナイフ４をナイフ受け５に押し付けることにより２枚の樹脂フィルム２，２が加熱溶着され、下方が引きちぎられていくので、２枚の樹脂フィルム２，２の先端が溶着された状態の先端溶着部３０が形成されることになる。
【０００３】
この状態で、上方の挿入口２７から被包装物、例えば新聞２８が投入或いは押し入れられると、ばねで反時計回転方向に付勢されているシャッタ３を押し下げて新聞２８の先端が、左側のプーリ６，６に掛かっている搬送ベルト２９と右側のプーリ６，６に掛かっている搬送ベルト２９の間に進入し、以後、各プーリ６に対する回転駆動により矢印方向に循環する搬送ベルト２９，２９に挟まれて下方へ搬送され、排出ガイド１４に案内されて外部へ排出される。
【０００４】
なお、詳述はしなかったが、搬送ベルト２９，２９で搬送中に一旦停止して、樹脂フィルム２，２の新聞両サイド側および後端側も溶着される。
【０００５】
このような搬送装置において、２枚の樹脂フィルムの間への被包装物（例えば新聞）の挿入は、手操作による押し込み或いは被包装物の自重による落下によっている（例えば、特許文献１参照）。
【特許文献１】特願２００６−１８７３５９号公報（段落［００２５］〜［００２６］、図１）
【発明の開示】
【発明が解決しようとする課題】
【０００６】
前述のように、先端が溶着された２枚の樹脂フィルムへの被包装物（例えば新聞）の挿入は、手操作による押し込み或いは、被包装物の重量による自然落下によっている。そのため、被包装物が厚くて重い包装体が、プーリに保持されて循環している２つの搬送ベルトの間に進入する際の速さが搬送ベルトの搬送速度より速くなることがある。
そうすると、２枚の包装樹脂フィルムは搬送ベルトと接触しその間に摩擦があるから搬送ベルトの搬送速度に抑えられるようになるのに対し、２枚の樹脂フィルムに挟まれた被包装物の移動速度はそれより速いのでその先端は２枚の樹脂フィルムの先端溶着部３０を強く押すことになり、樹脂フィルムは搬送ベルトと摺擦しながら前進して、樹脂フィルムの表面に擦り跡が生じたり、摩擦が大きい場合には、被包装物が先端溶着部３０を強く押すことにより溶着部分が破れて穴があいてしまうなどの問題があった。
【０００７】
本発明の課題は上記従来技術の問題点に鑑みて、樹脂フィルムに擦り跡が生じたり、先端溶着部分が破れたりすることのない包装体搬送装置を提供することにある。
【課題を解決するための手段】
【０００８】
本発明は、上記課題を解決するために以下の各手段構成を有する。
本発明の基本構成である第１の構成は、先端が溶着された２枚の樹脂フィルムの間に被包装物であるシートが挿入されて進入して来た樹脂フィルム包装体を、プーリ間に搬送ベルトが循環するように掛け渡されたプーリベルトが２個１組でベルト面を向き合わせて配置され向き合ったベルトがプーリに対する回転駆動により同じ方向に循環することにより、ベルト間に挟んで搬送する搬送ベルトを有する包装体搬送装置であって、
前記向き合った搬送ベルト面の被搬送包装体に対する摩擦は一方が他方より小さく、
前記プーリベルトの、被搬送包装体進入側のプーリに並列して、２個で１組の補助搬送コロを有し、
この補助搬送コロの被搬送包装体に対する摩擦は、被搬送包装体に対して、摩擦の小さい搬送ベルトと同じ側のコロは大きく、摩擦の大きい搬送ベルトと同じ側のコロは小さく、いずれのコロの摩擦も搬送ベルトの小さい方の摩擦より小さいことを特徴とする包装体搬送装置である。
【０００９】
本発明の第２の構成は、前記第１の構成において、前記摩擦が大きい搬送ベルトのプーリ軸位置は固定され、前記摩擦が小さい搬送ベルトのプーリ軸は、ばねで固定側の方へ弾性押圧されていることを特徴とする包装体搬送装置である。
【００１０】
本発明の第３の構成は、前記第１の構成又は第２の構成において、１組のプーリベルトのプーリのうち、被搬送物進入側の２つのプーリの少なくとも一方が、プーリの幅のうちベルトの掛かっている部分から両端へ向けて下り傾斜する面取り部分を有することを特徴とする包装体搬送装置である。
【００１１】
本発明の第４の構成は、前記第１ないし第３の構成のいずれか１つの構成において、前記補助搬送コロは、被搬送物進入側の前記プーリと同軸上に設けられ、その半径は、搬送ベルトの掛かっているプーリの軸中心から搬送ベルト表面までの半径よりも小なることを特徴とする包装体搬送装置である。
【００１２】
本発明の第５の構成は、前記第４の構成において、摩擦が小さい方の補助搬送コロは樹脂材料で形成され、摩擦の大きい方の補助搬送コロは、コロ表面の回転軸方向幅の一部はゴム材であり他部は樹脂材料であることを特徴とする包装体搬送装置である。
【００１３】
本発明の第６の構成は、前記第１ないし第５の構成のいずれか１つの構成において、前記摩擦の大きい補助搬送コロとその支持駆動軸との間に、該コロの表面に対し搬送方向回転力を加えた場合に自由回転するワンウェイクラッチを設けたことを特徴とする包装体搬送装置である。
【００１４】
本発明の第７の構成は、前記第１ないし第３のいずれか１つの構成の前記補助搬送コロに代えて、プーリ間に補助搬送ベルトが循環するように掛け渡されたプーリベルト２個１組でベルト面を向き合わせて配置され向き合った補助搬送ベルトがプーリに対する回転駆動により同じ方向に循環することにより被搬送物をベルト間に挟んで搬送する補助搬送ベルトを有し、この補助搬送ベルトの被搬送包装体に対する摩擦は、被搬送包装体に対して、摩擦の小さい搬送ベルトと同じ側の補助搬送ベルトは大きく、摩擦の大きい搬送ベルトと同じ側の補助搬送ベルトは小さく、いずれの補助搬送ベルトの摩擦も搬送ベルトの小さい方の摩擦よりも小さいことを特徴とする包装体搬送装置である。
【００１５】
本発明の第８の構成は、前記第７の構成において、前記補助搬送ベルトが掛け渡されているプーリが、搬送ベルトの掛け渡されているプーリと同軸上に設けられ、ベルトの掛かっているプーリの軸中心からベルト表面までの半径は補助搬送ベルトの方が搬送ベルトよりも小さいことを特徴とする包装体搬送装置である。
【００１６】
本発明の第９の構成は、前記第７の構成又は第８の構成において、前記補助搬送ベルトは、前記搬送ベルトよりも幅が狭いか、又はプーリ軸方向での配置数が少ないことを特徴とする包装体搬送装置である。
【発明の効果】
【００１７】
本発明の第１の構成においては、１組の搬送ベルトのうちの一方の摩擦が小さいので、分厚い被包装物を勢い良く挿入しても、搬送ベルトにくわえ込まれた瞬間、摩擦の小さいベルト側のフィルムが、ベルト面とすべって被包装物とともに前進することにより、先端にかかる張力を軽減できるので、穴開きを防ぎ、擦り疵も少なく見栄えが向上する。
【００１８】
また、前記搬送ベルトの、被搬送包装体進入側のプーリに並列して、２個で１組の補助搬送コロを設け、この補助搬送コロの被搬送包装体に対する摩擦は、被搬送包装体に対して、摩擦の小さい搬送ベルトと同じ側のコロは大きく、摩擦の大きい搬送ベルトと同じ側のコロは小さく、いずれのコロの摩擦も搬送ベルトの小さい方の摩擦より小さいので、厚い被包装物に対しては一方の搬送ベルトの摩擦を小さくしたことの効果を損なうことなく、薄い被搬送包装体に対しては搬送力不足を来たさず詰まることなく搬送することができるという効果がある。
【００１９】
第２の構成においては、摩擦の小さい方の搬送ベルトが、摩擦の大きい搬送ベルトの方へばねで押されているので被包装物の厚さの違いに対し、第１の構成の場合より、より柔軟に対応できるという効果がある。
【００２０】
第３の構成においては、ベルトが掛かっているプーリの幅方向両側が面取りしてあるので、プーリ部分でベルトが被搬送包装体を挟む力がベルトの端で突然零になるのではなくベルトの端より内側から傾斜的に弱くなって零となるので、ベルトの両側の位置での包装樹脂フィルムが破れるということが少なくなるという効果がある。
【００２１】
第４の構成においては、補助搬送コロが被搬送物進入側のプーリと同軸であり、その半径はベルトの掛かっているプーリの軸中心からベルト表面までの半径より小さいから、２つのコロの間隙は、プーリ位置での向き合った搬送ベルト間の間隙よりも大きい。
従って、厚い包装体が進入して来たときに、一方の搬送ベルトの摩擦が小さいため包装樹脂フィルムが滑って破れないという効果は、第１の構成ないし第３の構成の場合よりも弱められず、一方被包装物が薄い包装体の進入に対しては、樹脂フィルムに膨らみがあるので補助搬送コロの間隙がベルトの間隙より大きくとも、搬送力は加わり搬送されるという効果がある。
【００２２】
第５の構成においては、摩擦の大きい方の補助搬送コロが、コロ表面の回転軸方向幅の一部がゴム材であり、他部は樹脂材であるので全面をゴム材とするよりも摩擦を大きくする度合いを選択し易いという効果がある。
【００２３】
第６の構成においては、前記摩擦の大きい補助搬送コロと支持駆動軸との間に、該コロの表面に対し搬送方向回転力を加えた場合に自由回転するワンウェイクラッチを設けているので、被搬送包装体が、補助搬送コロの搬送速度よりも速い速度で落下或いは押し込まれて来ても摩擦の大きい方の補助搬送コロは被搬送体の進入速度に応じて自由に回転するので包装樹脂フィルムとの間で摩擦を生ずることなく前進し得るので包装樹脂フィルムに摩擦痕がついたり、先端溶着部分が破れたりすることはないという効果がある。
【００２４】
第７の構成においては、前記第１の構成ないし第３の構成のいずれかの構成において、補助搬送コロに代えて補助搬送ベルトを設けたので、少なくとも前記第１の構成ないし第３の構成における補助搬送コロと同様の効果を得ることができる。
【００２５】
第８の構成においては、前記第７の構成における補助搬送ベルトが掛け渡されているプーリが搬送ベルトの掛け渡されているプーリと同軸上に設けられ、ベルトの掛かっているプーリの軸中心からベルト表面までの半径は補助搬送ベルトの方が搬送ベルトよりも小さいので前記第４の構成の場合と同様の効果を有する。
【００２６】
第９の構成においては、前記第７の構成又は第８の構成において補助搬送ベルトは搬送ベルトの幅より狭いか、又はプーリ軸方向での配置数が少ないので、厚い被搬送包装体に対する搬送は搬送ベルトが主になるという効果がある。
【発明を実施するための最良の形態】
【００２７】
本発明の実施においては、搬送ベルトと補助搬送コロ又は補助搬送ベルトの配列数は、被搬送包装体の幅に応じて定めるのがよいが、複数設ける場合には被搬送包装体の幅中心に対して左右対称に配列するのが最良である。
また、幅方向の外側に搬送ベルトを設け内側に補助搬送コロ又は補助搬送ベルトを配置するのが最良である。
補助搬送コロ又は補助搬送ベルトが１の場合には、幅中心にこれらを配し、左右両側に搬送ベルトを設けるのがよい。
【実施例】
【００２８】
以下、本発明の包装体搬送装置の実施例を図面を参照して説明する。
図１は、本発明の包装体搬送装置１の第１の実施例を含む包装装置の側面図である。図２は、図１の包装体搬送装置１を左側から見た正面図であり、図３は図１の包装体搬送装置１を被搬送物の進入側から見た図である。
図１において、上下２つのプーリ６，６にベルトが掛け渡されたものが２つベルト面を合わせて１組みのベルト搬送構造を構成している。本発明では掛け渡された２つのベルトの被搬送物に対する摩擦に大小（高低）があり、左側の方が摩擦の小さい低摩擦搬送ベルト８であり、右側のベルトが摩擦の大きい高摩擦搬送ベルト７となっている。このような搬送ベルトが、図２に示すように、被搬送物の幅方向（図では左右方向）に２組み設けられている。そして進入側のプーリ軸には、搬送ベルトの内側に左右対称に２組の補助搬送コロが設けられている。これを図１の側面図で見ると進入側プーリ６，６の内側に円形破線で示されている。このコロの半径はベルトの掛かっているプーリの中心からベルト表面までの半径より小さくなっている。破線が内側であるのはこのことを示している。
【００２９】
この向き合ったコロも、被搬送物に対する摩擦に大小があり、低摩擦搬送ベルト８のプーリ軸に設けられている方は摩擦の大きい高摩擦補助搬送コロ９となっており、高摩擦搬送ベルト７のプーリ軸に設けられている方は摩擦の小さい低摩擦補助搬送コロ１０となっている。図２では高摩擦補助搬送コロ９が手前に見え低摩擦補助搬送コロ１０が後方に隠れて一部のみが見えている。図３では進入側から見ているので上側が高摩擦補助搬送コロ９であり、下側が低摩擦補助搬送コロ１０となっている。
【００３０】
高摩擦補助搬送コロ９の方は、その周表面の一部は樹脂面１６であり、他の一部にはゴムＯリング１５が嵌められており、被搬送物に対する摩擦が全面樹脂面の場合より大きく、全面ゴム面の場合と中間的な摩擦が得られるようになっている。低摩擦補助搬送コロ１０の周表面は樹脂面となっている。
【００３１】
このように搬送ベルトの摩擦は一方が大きく他方が小さく、補助搬送コロの摩擦は、摩擦の大きい搬送ベルト側のものは大きく、摩擦の小さい搬送ベルト側のものは小さく、いずれのコロの摩擦も搬送ベルトの小さい方の摩擦より小さいので、厚い被搬送包装体が、ベルトやコロの搬送速度より速い速度で進入して来たときは包装体の、摩擦の小さい搬送ベルト側の包装樹脂フィルムがベルトやコロに対して滑り前進するので樹脂フィルムの先端溶着部が破れたり、樹脂フィルム表面に疵がついたりすることがなく進行し、薄い包装体の場合には、重量が小さいので、搬送ベルトや補助搬送コロの搬送速度を越えて前進するということはなく、搬送ベルトの一方の摩擦が小さくとも補助搬送コロと協同して搬送されるので詰まったりすることがない。
【００３２】
また、補助搬送コロの直径を、搬送ベルトの掛かっているプーリの中心からベルト表面までの半径より小さくしておくと、厚い被搬送包装体が進入して来たときの滑りがよくなる。
一方、包装樹脂フィルムが被包装物に密着しているわけではないので、薄い被搬送包装体に対する搬送力はあまり低下せず詰まることはない。
【００３３】
また、高摩擦補助搬送コロ９は、ワンウェイクラッチ１７を介して軸に取り付けられている。このワンウェイクラッチ１７は該コロ９の周面に、搬送方向回転力を加えた場合に自由に回転するものである。従って、該コロの本来の搬送速度よりも速い速度で被搬送包装体が進入して来ても、高摩擦補助搬送コロ９はその速度に応じて回転し摺擦が生じることなく包装樹脂フィルム表面に疵がついたり、先端溶着部分が破れたりすることがない。
【００３４】
また、搬送ベルトの掛かっている各プーリは、プーリの幅のうちベルトの掛かっている部分から両端へ向けて下り傾斜の面取り１８を有している。これにより、被搬送包装体がプーリ部分で搬送ベルトに挟まれて搬送されようとするときにベルトによる搬送力が掛かる部分から掛からない部分への変化が緩やかになり包装樹脂フィルムのプーリ幅の端での破れを防止することができる。
【００３５】
更に、低摩擦搬送ベルト８の掛かっているプーリ保持枠体１２を固定しないで、ばね１３により、高摩擦搬送ベルト７の方へ押すように保持することにより、進入して来る被搬送包装体の厚さに対して柔軟に対応できる。
【００３６】
図４は、本発明の包装体搬送装置１の第２の実施例および第３の実施例を含む包装装置の側面図である。
図５は、図４の包装体搬送装置１の第２の実施例を左側から見た正面図である。図６は、図４の包装体搬送装置１の第２の実施例を被搬送物の進入側から見た図である。
第２の実施例は、第１の実施例における２組の補助搬送コロを１組の補助搬送ベルトに置き代えたものである。
図５に示すように、正面幅方向中央に補助搬送ベルトが設けられ、その両側に搬送ベルトが１つずつ設けられている。搬送ベルトは、図６に示すように上側（図４では左側）が、被搬送包装体に対する摩擦の小さい低摩擦搬送ベルト２０であり、下側（図４では右側）が、摩擦の大きい高摩擦搬送ベルト１９となっている。
【００３７】
補助搬送ベルトは、搬送ベルトとは逆に上側が摩擦の大きい高摩擦補助搬送ベルト２１であり、下側が低摩擦補助搬送ベルト２２となっている。その効果は第１の実施例と同様である。
ベルトの掛かっているプーリの中心からベルト表面までの半径は、補助搬送ベルトの方が搬送ベルトよりも小さくなっている。従って、図６に見るように、高摩擦補助搬送ベルト２１と低摩擦補助搬送ベルト２２との間に間隙がある。その効果は第１の実施例と同様である。
【００３８】
低摩擦搬送ベルト２０が掛かっているプーリが面取り１８を有する点、そのプーリ軸がプーリ保持枠体１２に保持さればね１３によって対面ベルト側へ弾性的に押されている点および高摩擦補助搬送ベルト２１の掛かっている補助搬送ベルトプーリのうち少なくとも進入側のものはワンウェイクラッチ１７を介して回転軸に保持されている点およびそれらの効果は第１の実施例と同様である。
なおワンウェイクラッチについては、他方のプーリ（図５で下側のプーリ）が回転軸から駆動されるプーリである場合にはこちらにも必要となる。
【００３９】
図７は、図４の包装体搬送装置の第３の実施例を左側から見た正面図であり、図８は、図４の包装体搬送装置の第３の実施例を被搬送物の進入側から見た図である。
第３の実施例は、第２の実施例（図５）における補助搬送ベルトに代えて幅の狭いものを２つにしたものである。
図５と図７を比較すれば、補助搬送ベルトが２つになったことに伴って、補助搬送ベルトプーリも幅の狭いものが２倍の数になっており、ワンウェイクラッチ１７も幅の狭いものが２個用いられている。
被搬送物進入側から見た図６と図８の関係も同様である。このように、補助搬送ベルトを幅を狭くして分散配置することにより、補助効果が幅方向で平均化に向かうという効果がある。
その他の点については、第２の実施例と同様である。
【図面の簡単な説明】
【００４０】
【図１】本発明の包装体搬送装置の第１の実施例を含む包装装置の側面図である。
【図２】図１の包装体搬送装置を左側から見た正面図である。
【図３】図１の包装体搬送装置を被搬送物の進入側から見た図である。
【図４】本発明の包装体搬送装置の第２の実施例および第３の実施例を含む包装装置の側面図である。
【図５】図４の包装体搬送装置の第２の実施例を左側から見た正面図である。
【図６】図４の包装体搬送装置の第２の実施例を被搬送物の進入側から見た図である。
【図７】図４の包装体搬送装置の第３の実施例を左側から見た正面図である。
【図８】図４の包装体搬送装置の第３の実施例を被搬送物の進入側から見た図である。
【図９】従来の包装体搬送装置を含む包装装置の構成を示す図である。
【符号の説明】
【００４１】
１  包装体搬送装置
２  樹脂フィルム
３  シャッタ
４  溶着ナイフ
５  ナイフ受け
６  プーリ
７  高摩擦搬送ベルト
８  低摩擦搬送ベルト
９  高摩擦補助搬送コロ
１０  低摩擦補助搬送コロ
１１  フィルムロール
１２  プーリ保持枠体
１３  ばね
１４  排出ガイド
１５  ゴムＯリング
１６  樹脂面
１７  ワンウェイクラッチ
１８  面取り
１９  高摩擦搬送ベルト
２０  低摩擦搬送ベルト
２１  高摩擦補助搬送ベルト
２２  低摩擦補助搬送ベルト
２３  搬送ベルトプーリ
２４  補助搬送ベルトプーリ
２５  包装装置
２６  包装体搬送装置
２７  挿入口
２８  新聞
２９  搬送ベルト
３０  先端溶着部
【図１】
2008273544.tif 000003
【図２】
2008273544.tif 000004
【図３】
2008273544.tif 000005
【図４】
2008273544.tif 000006
【図５】
2008273544.tif 000007
【図６】
2008273544.tif 000008
【図７】
2008273544.tif 000009
【図８】
2008273544.tif 000010
【図９】
2008273544.tif 000011